(57)【要約】【課題】ＰＯＳシステム用のレジ用紙やその他の無芯巻取り製品を得るスリッターにおいて、その巻取軸とこれに巻き取られた製品とを、作業者が容易に能率良く取り出せるようにする。【解決手段】無芯巻取り製品（Ｒ）となる原反シート（２２）を巻取軸（Ｓ）に巻き取り終えたならば、そのスリッターの昇降サイド支柱（１７）から取りはずした巻取軸（Ｓ）における左右何れか一端部の可動側軸受けホルダー（３２）を抜き取って、その第１半円軸（Ｓ１）の露出した取付孔（３４）を据付け機枠（Ｆ）側の固定ピン（４２）へ差し込み固定した上、巻取軸（Ｓ）における残る他端部の固定側軸受けホルダー（３５）に固定された第２半円軸（Ｓ２）を、上記第１半円軸（Ｓ１）と合掌している傾斜テーパー面（２９）に沿って他方へ引き出し移動させることにより、その太さ（Ｄ）の細くなった巻取軸（Ｓ）の上記一端部から無芯巻取り製品（Ｒ）を取り出す。【選択図】図１９
2018122407.tif 000002
【特許請求の範囲】
【請求項１】
左右一対の据付け機枠（Ｆ）（Ｆ）へ水平に軸架された前後一対のサーフェスロール（１０）（１０）と、
その両サーフェスロール（１０）（１０）の前後相互間に載架する位置関係として、左右両端部が対応的な一対の昇降サイド支柱（１７）（１７）に受け持たれた巻取軸（Ｓ）と、
その両昇降サイド支柱（１７）（１７）と一体的に昇降されることにより、上記巻取軸（Ｓ）を両サーフェスロール（１０）（１０）へ上方から押し付けて連れ廻す押圧ロール（２４）とを備え、
両サーフェスロール（１０）（１０）を互いに同一方向（Ａ）へ回転駆動することにより、原反ロール（２０）から引き出した原反シート（２２）を所定の狭幅に分割カットして、上記巻取軸（Ｓ）へ巻き取ると共に、
その巻取り過程にある原反シート（２２）の巻き太りに応じて、その巻取軸（Ｓ）と上記押圧ロール（２４）が昇降サイド支柱（１７）（１７）により、両サーフェスロール（１０）（１０）から上方へ退動するように設定された無芯巻取り製品（Ｒ）のスリッターであって、
上記巻取軸（Ｓ）を互いに同じ第１、２半円軸（Ｓ１）（Ｓ２）がその軸線（Ｏ−Ｏ）と交叉する傾斜テーパー面（２９）（２９）での合掌により、その傾斜テーパー面（２９）（２９）に沿って軸線方向へ移動し得る全体的な太さ（Ｄ）と長さ（Ｌ）が同じ円形軸となるように組み合わせ、
その組み合わせた巻取軸（Ｓ）の左右何れか一端部には、可動側軸受けホルダー（３２）を抜き差しできるように差し込み套嵌させて、その第１半円軸（Ｓ１）の太い一端部（３０ａ）に取付孔（３４）を貫通形成する一方、
同じく巻取軸（Ｓ）の残る他端部には固定側軸受けホルダー（３５）を、その第２半円軸（Ｓ２）の太い他端部（３１ｂ）へ取り付けられるビスやノックピンなどの固定具（３６）によって、抜け止め状態に差し込み套嵌させると共に、
上記巻取軸（Ｓ）の両軸受けホルダー（３２）（３５）から各々突出する凸子（３３）（３７）を、上記昇降サイド支柱（１７）（１７）に向かい合う一対として各々列設された凹溝レール（１９）（１９）の内部へ抜き差し自在に、且つその巻取軸（Ｓ）自身が両サーフェスロール（１０）（１０）と一緒に連れ廻り得る状態に差し込み係合させて、
上記巻取軸（Ｓ）に原反シート（２２）を巻き取り終えたならば、その左右一対の昇降サイド支柱（１７）（１７）から取りはずした巻取軸（Ｓ）における左右何れか一端部の可動側軸受けホルダー（３２）を抜き取って、その露出した第１半円軸（Ｓ１）の取付孔（３４）をスリッターの機枠（Ｆ）（Ｆ）に付属している固定ピン（４２）へ差し込み固定した上、
同じく巻取軸（Ｓ）における残る他端部の固定側軸受けホルダー（３５）に固定された第２半円軸（Ｓ２）を、その上記第１半円軸（Ｓ１）と合掌している傾斜テーパー面（２９）（２９）に沿って他方へ引き出し移動させることにより、その太さ（Ｄ）の細くなった巻取軸（Ｓ）の上記一端部から無芯巻取り製品（Ｒ）を取り出すことを特徴とするスリッターにおける無芯巻取り製品の取出装置。
【請求項２】
巻取軸（Ｓ）の他端部へビスやノックピンなどの固定具（３６）を介して抜け止め状態に差し込み套嵌された固定側軸受けホルダー（３５）の凸子（３７）をネジ軸として、
昇降サイド支柱（１７）（１７）の凹溝レール（１９）（１９）へ差し込み係合される凸子（４１）が突出する別個な連結ソケット（３８）のネジ溝（３９）を、その上記固定側軸受けホルダー（３５）のネジ軸（３７）へ進退自在に螺合締結することにより、
左右一対の軸受けホルダー（３２）（３５）が差し込み套嵌された巻取軸（Ｓ）の全体長さ（Ｘ）を、その両昇降サイド支柱（１７）（１７）の左右相互間隔（Ｗ）と対応する寸法として調整セットできるように定めたことを特徴とする請求項１記載のスリッターにおける無芯巻取り製品の取出装置。
【請求項３】
巻取軸（Ｓ）に対する上方からの押圧ロール（２４）を左右一対の昇降サイド支柱（１７）（１７）へ水平に軸受けさせて、その両昇降サイド支柱（１７）（１７）を連結バー（１８）によって連結一体化すると共に、
上記昇降サイド支柱（１７）（１７）を昇降作動させるエヤーシリンダーによって、その押圧ロール（２４）へ無段階の押圧力を常時付与したことを特徴とする請求項１記載のスリッターにおける無芯巻取り製品の取出装置。
【請求項４】
両サーフェスロール軸（１１）（１１）の左右何れか一端部に嵌め付け一体化した伝動プーリー（１２）の前後一対と、機枠（Ｆ）（Ｆ）に対応設置した駆動モーター（Ｍ）の出力プーリー（１４）とを、第１タイミングベルト（１６）を介して伝動連結する一方、
上記サーフェスロール軸（１１）（１１）における前後何れか一方の残る他端部に嵌め付け一体化した伝動プーリー（１３）と、押圧ロール軸（２５）の対応的な他端部に嵌め付け一体化した伝動プーリー（２６）とを、第２タイミングベルト（２７）を介して伝動連結することにより、
上記サーフェスロール（１０）（１０）の前後一対と巻取軸（Ｓ）の押圧ロール（２４）とを、悉く同じ原反シート（２２）の引き出し方向（Ａ）へ回転させるように定めたことを特徴とする請求項１記載のスリッターにおける無芯巻取り製品の取出装置。
【発明の詳細な説明】
【技術分野】
【０００１】
本発明は原反ロールから引き出した原反シートを所定幅の狭い帯状に分割カットし、悉く巻取軸に巻き取ることにより、ＰＯＳ（ｐｏｉｎｔ  ｏｆ  ｓａｌｅｓ）システム用のレジ用紙やその他の無芯巻取り製品を得るスリッターにおいて、その巻取軸と延いては製品とを一緒に取り出すための装置に関する。
【背景技術】
【０００２】
この種の無芯巻取り製品としては無芯のトイレットペーパーロールがよく知られており、そのトイレットペーパーロールの製造方法や製造装置が特許文献１、２に開示されている。
【０００３】
つまり、特許文献１を代表例に挙げて言えば、これに記載の巻取軸（４）は軸線と交叉する傾斜テーパー面（２）において分割された一対の半軸部（３）（３）から、円形軸となるように合体されたものであり、その半軸部（３）（３）同士を軸方向へ相対移動させることによって、その細くなった巻取軸（４）からトイレットペーパーロール（６）を取り出すように構成されている。
【先行技術文献】
【特許文献】
【０００４】
【特許文献１】特公昭５５−３２６１８号公報
【特許文献２】特許第２７８９３１４号公報
【発明の概要】
【発明が解決しようとする課題】
【０００５】
ところが、特許文献１には断面円形の巻取軸（４）を回転駆動して、その巻取軸（４）にペーパーシート（５）を巻き取ることにより、無芯のペーパーロール（６）を形成する旨が説明されているに過ぎず、巻取り中にあるペーパーロール（６）をその外周から巻取軸（４）へ押し付けることやその方法の記載は皆無である。
【０００６】
その場合、トイレットペーパーシート（５）は薄く柔軟であるため、巻取軸（４）の円周面に馴染み良く巻き付くとしても、その巻取軸（４）へ押し付けていなければ、弛緩しない密巻き状態に保つことは困難であり、いたずらに嵩張ったり、形崩れしたりするおそれがある。
【０００７】
そのため、上記トイレットペーパーシート（５）であればともかく、ＰＯＳシステム用レジ用紙のようにトイレットペーパーシートよりも硬く、所謂コシがある性状のシートについて、特許文献１に記載の製造方法をそのまま適用することはできない。
【０００８】
更に、特許文献１の記載によれば、巻取軸（４）を軸方向に２分割して、ペーパーロール（６）をその巻取軸（４）から取り出すことができるようになっているとしても、その断面円形に合体した巻取軸（４）の外形を何によって保持しているか、また巻取軸（４）の左右両端部はどのような状態（着脱可能性）に軸受けさ（取り付けら）れているか等々が不明である。
【０００９】
この点、「巻取軸（４）を図外の軸方向移動機構により矢印（Ｅ）（Ｅ）方向に移動させ」と記載されているだけでは、当業者にとってその具体的な構成や使用法などを到底理解することができない。
【課題を解決するための手段】
【００１０】
本発明はこのような課題の改良を目的としており、その目的を達成するために、請求項１では左右一対の据付け機枠へ水平に軸架された前後一対のサーフェスロールと、
【００１１】
その両サーフェスロールの前後相互間に載架する位置関係として、左右両端部が対応的な一対の昇降サイド支柱に受け持たれた巻取軸と、
【００１２】
その両昇降サイド支柱と一体的に昇降されることにより、上記巻取軸を両サーフェスロールへ上方から押し付けて連れ廻す押圧ロールとを備え、
【００１３】
両サーフェスロールを互いに同一方向へ回転駆動することにより、原反ロールから引き出した原反シートを所定の狭幅に分割カットして、上記巻取軸へ巻き取ると共に、
【００１４】
その巻取り過程にある原反シートの巻き太りに応じて、その巻取軸と上記押圧ロールが昇降サイド支柱により、両サーフェスロールから上方へ退動するように設定された無芯巻取り製品のスリッターであって、
【００１５】
上記巻取軸を互いに同じ第１、２半円軸がその軸線と交叉する傾斜テーパー面での合掌により、その傾斜テーパー面に沿って軸線方向へ移動し得る全体的な太さと長さが同じ円形軸となるように組み合わせ、
【００１６】
その組み合わせた巻取軸の左右何れか一端部には、可動側軸受けホルダーを抜き差しできるように差し込み套嵌させて、その第１半円軸の太い一端部に取付孔を貫通形成する一方、
【００１７】
同じく巻取軸の残る他端部には固定側軸受けホルダーを、その第２半円軸の太い他端部へ取り付けられるビスやノックピンなどの固定具によって、抜け止め状態に差し込み套嵌させると共に、
【００１８】
上記巻取軸の両軸受けホルダーから各々突出する凸子を、上記昇降サイド支柱に向かい合う一対として各々列設された凹溝レールの内部へ抜き差し自在に、且つその巻取軸自身が両サーフェスロールと一緒に連れ廻り得る状態に差し込み係合させて、
【００１９】
上記巻取軸に原反シートを巻き取り終えたならば、その左右一対の昇降サイド支柱から取りはずした巻取軸における左右何れか一端部の可動側軸受けホルダーを抜き取って、その露出した第１半円軸の取付孔をスリッターの機枠に付属している予備の固定ピンへ差し込み固定した上、
【００２０】
同じく巻取軸における残る他端部の固定側軸受けホルダーに固定された第２半円軸を、その上記第１半円軸と合掌している傾斜テーパー面に沿って他方へ引き出し移動させることにより、その太さの細くなった巻取軸の上記一端部から無芯巻取り製品を取り出すことを特徴とする。
【００２１】
また、請求項２では巻取軸の他端部へビスやノックピンなどの固定具を介して抜け止め状態に差し込み套嵌された固定側軸受けホルダーの凸子をネジ軸として、
【００２２】
昇降サイド支柱の凹溝レールへ差し込み係合される凸子が突出する別個な連結ソケットのネジ溝を、その上記固定側軸受けホルダーのネジ軸へ進退自在に螺合締結することにより、
【００２３】
左右一対の軸受けホルダーが差し込み套嵌された巻取軸の全体長さを、その両昇降サイド支柱の左右相互間隔と対応する寸法として調整セットできるように定めたことを特徴とする。
【００２４】
請求項３では巻取軸に対する上方からの押圧ロールを左右一対の昇降サイド支柱へ水平に軸受けさせて、その両昇降サイド支柱を連結バーによって連結一体化すると共に、
【００２５】
上記昇降サイド支柱を昇降作動させるエヤーシリンダーによって、その押圧ロールへ無段階の押圧力を常時付与したことを特徴とする。
【００２６】
更に、請求項４では両サーフェスロール軸の左右何れか一端部に嵌め付け一体化した伝動プーリーの前後一対と、機枠に対応設置した駆動モーターの出力プーリーとを、第１タイミングベルトを介して伝動連結する一方、
【００２７】
上記サーフェスロール軸における前後何れか一方の残る他端部に嵌め付け一体化した伝動プーリーと、押圧ロール軸の対応的な他端部に嵌め付け一体化した伝動プーリーとを、第２タイミングベルトを介して伝動連結することにより、
【００２８】
上記サーフェスロールの前後一対と巻取軸の押圧ロールとを、悉く同じ原反シートの引き出し方向へ回転させるように定めたことを特徴とする。
【発明の効果】
【００２９】
請求項１の上記構成によれば、レジ用紙やその他の無芯巻取り製品となる原反シートを巻き取る巻取軸が、上方から押圧ロールによって前後一対のサーフェスロールへ押し付けられた常態のもとで連れ廻るため、その原反シートがスリップしたり、粗巻きされたりするおそれがなく、強く密巻きされた状態の安定・高品質な無芯巻取り製品を得られる効果がある。
【００３０】
また、巻取軸への巻き取り終了時には、その巻取軸を左右一対の昇降サイド支柱から人手作業によって取りはずし、その取りはずした巻取軸における左右何れか一端部の可動側軸受けホルダーを抜き取り、その結果露出した第１半円軸の取付孔を据付け機枠側の固定ピンへ差し込み固定した上で、同じく巻取軸における残る他端部の固定側軸受けホルダーに固定されている第２半円軸を、その上記第１半円軸と合掌している傾斜テーパー面に沿って他方へ引き出し移動させることにより、その太さ（直径）の細くなった巻取軸の上記一端部から無芯巻取り製品を取り出すようになっているため、その取り出し作業を人手での極めて容易に能率良く行える。
【００３１】
しかも、巻取軸は互いに同じ第１、２半円軸から、その合掌状態にある傾斜テーパー面に沿って軸線方向へ移動し得る円形軸に組み合わされており、その左右何れか一端部には可動側軸受けホルダーと、残る他端部には固定側軸受けホルダーとが、各々差し込み套嵌されているため、上記無芯巻取り製品を取り出すための必要構成としても、著しく簡素で足り、量産性と作業性に優れる。
【００３２】
その場合、請求項２の構成を採用するならば、互いに同じ第１、２半円軸から組み合わされる巻取軸の長さは一定に保ちつつ、その左右一対の軸受けホルダーが付属する全体長さを連結ソケットの進退操作によって、両昇降サイド支柱の左右相互間隔と対応する寸法に調整セットすることができ、使用上の利便性がますます向上する。
【００３３】
また、請求項３の構成を採用するならば、巻取軸の太さを無芯巻取り製品に応じて変える場合でも、その巻取軸を両サーフェスロールへ押し付ける押圧ロールの押し付け力が、エヤーシリンダーでの無段階に与えられることになるため、上記巻取軸の太さ変化に対する臨機応変性や汎用性に優れる。
【００３４】
更に、請求項４の構成を採用するならば、巻取軸を両サーフェスロールへ押し付ける押圧ロールと、その前後一対のサーフェスロールとを同じ原反シートの引き出し方向へ回転駆動することができ、その原反シートを巻取軸の円周面へ強く押し付けた状態として、ロスなく巻き取ることができる。
【図面の簡単な説明】
【００３５】
【図１】本発明に係るスリッターの概略正面図である。
【図２】サーフェスロールの伝動系統を示す図１の右側面図である。
【図３】押圧ロールの伝動系統を示す図１の左側面図である。
【図４】巻き取り開始当初を示す側面図である。
【図５】図４に続く巻き取り中途過程を示す側面図である。
【図６】図５に続く巻き取り終了を示す側面図である。
【図７】巻取軸を抽出して示す正面図である。
【図８】図７の８−８線拡大断面図である。
【図９】図７の９−９線拡大断面図である。
【図１０】図７の１０−１０線拡大断面図である。
【図１１】図７の１１−１１線拡大断面図である。
【図１２】昇降サイド支柱へ巻取軸を取り付けた状態の平面図である。
【図１３】図１２の縦断正面図である。
【図１４】巻取軸の可動側軸受けホルダーを抜き取った状態の正面図である。
【図１５】図１４の１５−１５線拡大断面図である。
【図１６】図１４の１６−１６線拡大断面図である。
【図１７】無芯巻取り製品の巻き取り終了状態を示す平面図である。
【図１８】巻取軸から可動側軸受けホルダーを抜き取り、その第１半円軸の一端部を固定した状態の正面図である。
【図１９】巻取軸の第１、２半円軸を軸線方向へ移動させて、無芯巻取り製品を取り出す過程の正面図である。
【発明を実施するための形態】
【００３６】
以下、図面に基いて本発明の好適な実施形態を詳述すると、図１はＰＯＳシステム用のレジ用紙を無芯（芯管無し）巻取り製品（Ｒ）とするスリッターの概略正面図であり、これから示唆されるように、そのスリッターにおける左右一対の据付け機枠（Ｆ）（Ｆ）には前後一対のサーフェスロール（１０）（１０）が水平に軸架されている。
【００３７】
前後一対の平行なサーフェスロール（１０）（１０）は互いに同じ太さの金属ロールから成り、その機枠（Ｆ）（Ｆ）へ回転自在に支持されたサーフェスロール軸（１１）（１１）が、上記機枠（Ｆ）（Ｆ）から各々横方向へ張り出す左右何れか一端部（図例では右側）には、何れも伝動プーリー（１２）（１２）が図２のように嵌め付け一体化されている。
【００３８】
また、前後一対の平行な上記サーフェスロール軸（１１）（１１）のうち、その何れか一方（図例では後側）の残る他端部（図例では左側）には、別個な伝動プーリー（１３）が図３のように嵌め付け一体化されている。この他端部にある伝動プーリー（１３）は、後述する押圧ロール軸上の対応位置する伝動プーリーと、無端な第２タイミングベルトを介して伝動連結され、押圧ロールを回転駆動することになる。
【００３９】
（Ｍ）は前後一対のサーフェスロール軸（１１）（１１）における左右何れか一端部（図例では右側）の伝動プーリー（１２）（１２）と対応位置する出力プーリー（１４）を備えた駆動モーターであり、上記機枠（Ｆ）（Ｆ）に付属しているモータ取付台（１５）上に固定設置されている。
【００４０】
そして、その前後一対の上記伝動プーリー（１２）（１２）と駆動モーター（Ｍ）の出力プーリー（１４）とは、無端な第１タイミングベルト（１６）を介して伝動連結されており、前後一対の平行な上記サーフェスロール（１０）（１０）がその駆動モーター（Ｍ）によって、互いに同じ方向（Ａ）へ同じ速度のもとに回転駆動されるようになっている。その回転方向（Ａ）は後述の原反ロールから原反シートを引き出す方向である。
【００４１】
（Ｓ）は両サーフェスロール（１０）（１０）の前後相互間に載架（介在）する関係状態として、そのサーフェスロール軸（１１）（１１）と平行に延在する一定長さの金属製巻取軸であるが、これは上記機枠（Ｆ）（Ｆ）に支持（軸受け）されておらず、その左右両端部があたかも突っ張り棒の如く、図１のように対応的な一対の昇降サイド支柱（１７）（１７）に受け持たれている。（１８）はその左右一対の昇降サイド支柱（１７）（１７）を連結一体化した連結バーである。
【００４２】
つまり、巻取軸（Ｓ）の左右両端部には追って詳述する一対の軸受けホルダーが差し込み套嵌されており、その両軸受けホルダーから各々突出する凸子が、両昇降サイド支柱（１７）（１７）に向かい合う一対として各々列設された凹溝レール（１９）（１９）の内部へ抜き差し（着脱）自在に、しかも巻取軸（Ｓ）自身が上記サーフェスロール（１０）（１０）と一緒に連れ廻り得るように差し込み係合されていて、その両昇降サイド支柱（１７）（１７）とこれに受け持たれた水平な巻取軸（Ｓ）とが、一緒に昇降し得るようになっているのである。
【００４３】
その場合、図示省略しているが、上記昇降サイド支柱（１７）（１７）には丸ラックとピニオンギヤとから成る直線的な昇降運動機構や、これに代る昇降運動機構としての好ましいエヤーシリンダーが取り付けられており、そのエヤーシリンダーによって両昇降サイド支柱（１７）（１７）と延いては上記巻取軸（Ｓ）を、無段階での円滑・精密に昇降作動させることができるようになっている。
【００４４】
また、（２０）は左右一対の機枠（Ｆ）（Ｆ）へ上記サーフェスロール（１０）（１０）とほぼ平行に軸架された原反ロールであって、その原反ロール軸（２１）に巻き付けられた広幅な帯状の原反シート（２２）から成る。原反ロール（２０）から引き出された原反シート（２２）は、図４〜６のようにニップロール（図示省略）を経て、上記機枠（Ｆ）（Ｆ）の一定間隔おきに並列設置されたスリッター（分割カッター）（２３）へ導かれ、そのスリッター（２２）により所定幅の狭い帯状にカットされた複数の無芯巻取り製品（Ｒ）として、図１７のように悉く上記巻取軸（Ｓ）に巻き取られることとなる。
【００４５】
更に、（２４）は上記原反シート（２２）の巻取り作用中にある巻取軸（Ｓ）を、上方から前後一対のサーフェスロール（１０）（１０）に押し付けて、その巻取軸（Ｓ）を両サーフェスロール（１０）（１０）と一緒に連れ廻すことにより、巻取軸（Ｓ）へ原反シート（２２）を確実に安定良く巻き取るための押圧ロールであり、これも金属ロールから成る。
【００４６】
その場合、水平な押圧ロール軸（２５）を回転自在に支持している左右一対の昇降サイド支柱（１７）（１７）は、上記昇降運動機構としての好ましいエヤーシリンダーによって昇降作動されるようになっており、殊更押圧ロール（２４）を両サーフェスロール（１０）（１０）へ常時押し付けるべく、無段階の圧力を付与するようになっている。
【００４７】
これを換言すれば、巻取軸（Ｓ）がその原反シート（２２）の巻き取り進行に連れて太くなると、これを押圧作用中にある押圧ロール（２４）は図５、６の矢印で示すように、その巻取軸（Ｓ）の巻き太りに追従して自づと上方へ退動（上昇）し、両サーフェスロール（１０）（１０）から徐々に離れることになるが、原反シート（２２）はその巻取軸（Ｓ）の円周面へ巻き付いた状態のまま回転する結果、空廻りや粗巻きなどのおそれなく、確実に密巻きすることができるのである。
【００４８】
前後一対の平行なサーフェスロール軸（１１）（１１）のうち、その何れか一方（図例では後側）の残る他端部（図例では左側）に、伝動プーリー（１３）が嵌め付け一体化されている旨を上記したが、そのサーフェスロール軸（１１）（１１）と平行に延在する押圧ロール軸（２５）が昇降サイド支柱（１７）（１７）から横方向へ張り出す対応的な他端部（図例では左側）には、図１、３のように上記サーフェスロール軸（１１）上の伝動プーリー（１３）と並ぶ伝動プーリー（２６）が嵌め付けられており、その伝動プーリー（１３）（２６）同士の相互間に無端な第２タイミングベルト（２７）が連繋張架されている。（２８）はその第２タイミングベルト（２７）のテンショナーであり、これはサーフェスロール軸（１１）上の伝動プーリー（１３）と同じく、スリッターの機枠（Ｆ）（Ｆ）に軸架されている。
【００４９】
そのため、上記巻取軸（Ｓ）の押圧ロール（２４）も駆動モーター（Ｍ）によって、前後一対の上記サーフェスロール（１０）（１０）と同じ方向（Ａ）へ回転駆動されることになり、その押圧ロール（２４）が原反シート（２２）を介して、巻取軸（Ｓ）を両サーフェスロール（１０）（１０）へ押し付けていることとも相俟ち、原反ロール（２０）から引き出された原反シート（２２）を、巻取軸（Ｓ）へ自動機械的に密巻きすることができる。
【００５０】
先に一言した巻取軸（Ｓ）の具体的構成を詳述すると、これは図７〜１１に抽出して示す如く、互いに同じ断面半円形又はカマボコ形の第１、２半円軸（Ｓ１）（Ｓ２）から、その軸（芯）線（Ｏ−Ｏ）と交叉する傾斜テーパー面（２９）（２９）での合掌状態に保たれることによって、全体的な太さ（直径）（Ｄ）と長さ（Ｌ）が同じ（均一な）円形軸となるように組み合わされたものである。
【００５１】
そのため、巻取軸（Ｓ）の第１半円軸（Ｓ１）と第２半円軸（Ｓ２）とを、そのフラットな傾斜テーパー面（２９）（２９）に沿って軸線方向（長手方向）へ移動（スライド）させることができ、その第１、２半円軸（Ｓ１）（Ｓ２）の長さ（Ｌ）が図７、１２のように揃った短縮状態において、巻取軸（Ｓ）の太さ（Ｄ）は図８、９のように最も太くなり、上記第１、２半円軸（Ｓ１）（Ｓ２）を図１４のように相反する方向へ引き出し伸長させると、その巻取軸（Ｓ）の太さ（Ｄ）は図１５、１６のように徐々に細く変化する。
【００５２】
何れにしても、上記巻取軸（Ｓ）の左右何れか一端部（図７の右側）は第１半円軸（Ｓ１）の太い一端部（３０ａ）と第２半円軸（Ｓ２）の細い一端部（３１ａ）との組み合わされた状態にある円形をなし、ここには金属製の可動側軸受けホルダー（３２）が抜き差しできるように差し込み套嵌されている。（３３）はその軸受けホルダー（３２）から横向き一体的に突出する凸子、（３４）は上記第１半円軸（Ｓ１）の太い一端部（３０ａ）に貫通形成された取付孔であり、図１０のように軸受けホルダー（３２）によって被覆されている。
【００５３】
逆に、上記巻取軸（Ｓ）の残る他端部（図７の左側）は第１半円軸（Ｓ１）の細い他端部（３０ｂ）と第２半円軸（Ｓ２）の太い他端部（３１ｂ）との組み合わされた状態にある円形を呈し、ここにはやはり金属製の別個な固定側軸受けホルダー（３５）が、その図１１のような第２半円軸（Ｓ２）の太い他端部（３１ｂ）へねじ込まれるビス（３６）によって、抜け止め状態に差し込み套嵌されている。
【００５４】
その場合、上記ビス（３６）に代るノックピンやリベットなどの固定具を第２半円軸（Ｓ２）の太い他端部（３１ｂ）へ打ち込むことにより、上記固定側軸受けホルダー（３５）をその巻取軸（Ｓ）における他端部の就中第２半円軸（Ｓ２）へ、抜き差しできない固定状態に套嵌させても良い。
【００５５】
（３７）はその固定側軸受けホルダー（３５）から横向き一体的に突出する凸子であるが、これは上記可動側軸受けホルダー（３２）の凸子（３３）よりも比較的長いネジ軸として形成されている。（３８）は上記固定側軸受けホルダー（３５）と別個な金属製の連結ソケットであり、そのネジ溝（３９）が図７のように固定側軸受けホルダー（３５）の上記ネジ軸（３７）へ、進退自在に螺合締結されている。（４０）はその締結状態の固定ナット、（４１）はその連結ソケット（３８）から横向き一体的に突出された凸子であり、上記可動側軸受けホルダー（３２）の凸子（３３）と対をなす。
【００５６】
つまり、その連結ソケット（３８）を巻取軸（Ｓ）の軸線方向（長手方向）へ進退操作することによって、左右一対の軸受けホルダー（３２）（３５）が付属している巻取軸（Ｓ）の全体長さ（Ｘ）を、先に一言した昇降サイド支柱（１７）（１７）の左右相互間隔（Ｗ）と対応する寸法に調整セットすることができ、その調整した状態において可動側軸受けホルダー（３２）の凸子（３３）と連結ソケット（３８）の凸子（４１）とを図１２、１３のように、両昇降サイド支柱（１７）（１７）に向かい合う一対として列設されている凹溝レール（１９）（１９）の内部へ抜き差し自在に差し込み係合させると共に、その巻取軸（Ｓ）のそれ自身が両サーフェスロール（１０）（１０）と一緒に連れ廻るようになっているのである。
【００５７】
但し、巻取軸（Ｓ）の左右両端部があたかも突っ張り棒の如く、昇降サイド支柱（１７）（１７）に受け持たれた状態として、その両昇降サイド支柱（１７）（１７）と一緒に昇降し得る構成であるならば、特別な上記連結ソケット（３８）の締結を省略して、可動側軸受けホルダー（３２）の凸子（３３）と固定側軸受けホルダー（３５）の凸子（３７）とを、両昇降サイド支柱（１７）（１７）の凹溝レール（１９）（１９）へ直かに差し込み係合させてもさしつかえない。
【００５８】
上記の構成から明白なように、原反シート（２２）を巻き取る巻取軸（Ｓ）の太さ（Ｄ）は、その第１、２半円軸（Ｓ１）（Ｓ２）の左右両端部同士が揃った長さ（Ｌ）の短縮状態において、最も太く（例えば直径：２０mm）なる。そのため、この状態において巻取軸（Ｓ）の両軸受けホルダー（３２）（３５）を図１２、１３のように、向かい合う一対の昇降サイド支柱（１７）（１７）へ受け持たれる横架状に取り付け使用する。
【００５９】
その巻取軸（Ｓ）に対する原反シート（２２）の巻取り開始当初、原反ロール（２０）から引き出された原反シート（２２）の先端部は、図４のように巻取軸（Ｓ）へ巻き掛けられた状態のもとで、上方から押圧ロール（２４）によって前後一対のサーフェスロール（１０）（１０）へ押し付けられることになる。そのため、その先端部を巻取軸（Ｓ）へ接着する必要はない。
【００６０】
そして、その前後一対のサーフェスロール（１０）（１０）と押圧ロール（２４）とが駆動モーター（Ｍ）により、第１、２タイミングベルト（１６）（２７）を介して原反シート（２２）の引き出し方向（Ａ）へ回転駆動されると、その両サーフェスロール（１０）（１０）と一緒に連れ廻る巻取軸（Ｓ）によって、その巻取軸（Ｓ）に原反シート（２２）が巻き取られることになる。
【００６１】
その場合、原反ロール（２０）から巻取軸（Ｓ）に到達するまでの引き出し過程には、多数のスリッター（分割カッター）（２３）が介在しているため、これにより所定幅の狭く分割された多数の原反シート（２２）が、上記巻取軸（Ｓ）へ悉く巻き取られて、無芯（芯管無し）の巻取り製品（Ｒ）となるのである。
【００６２】
また、その巻取軸（Ｓ）は原反シート（２２）の巻き太り進行に連れて、図５から図６のように押圧ロール（２４）の押し付け力に抗しつつ、両昇降サイド支柱（１７）（１７）に沿って徐々に上方へ退動（上昇）し、両サーフェスロール（１０）（１０）から離れてゆくことになる。
【００６３】
やがて、図１７に示す如く、巻取軸（Ｓ）に原反シート（２２）を巻き取り終えたならば、その原反シート（２２）が所定引き出し長さ位置での自動機械的にカット（切り離し）されるため、複数の無芯巻取り製品（Ｒ）が巻き取られた状態にある巻取軸（Ｓ）を、左右一対の昇降サイド支柱（１７）（１７）から人手作業によって取りはずす。
【００６４】
その際、必要に応じて、両軸受けホルダー（３２）（３５）が付属している巻取軸（Ｓ）の全体長さ（Ｘ）を、両昇降サイド支柱（１７）（１７）の左右相互間隔（Ｗ）よりも短かく縮め、その向かい合う一対の凹溝レール（１９）（１９）から両軸受けホルダー（３２）（３５）の凸子（３３）（３７）を容易に抜き出せるように、上記連結ソケット（３８）の螺退操作を行えば良い。
【００６５】
尚、所定引き出し長さ位置でのカットされた原反シート（２２）における次の先端部は、その巻取り開始当初の図４と同じく、図外の自動巻き掛け用具により巻取軸（Ｓ）へ巻き掛けられた状態のもとで、上方から押圧ロール（２４）による押し付け力を受けて、その巻取軸（Ｓ）の円周面へ安定良く巻き付けられることになる。
【００６６】
次に、左右一対の昇降サイド支柱（１７）（１７）から取りはずした巻取軸（Ｓ）について、その左右何れか一端部（図１７の右側）に差し込み套嵌されている可動側軸受けホルダー（３２）を、図１８のように抜き取る。その抜き取りも人手作業として容易に行える。
【００６７】
そうすれば、その巻取軸（Ｓ）における第１半円軸（Ｓ１）の太い一端部（３０ａ）に貫通形成されている取付孔（３４）が、裸状態に露出することになるので、その取付孔（３４）をスリッターの据付け機枠（Ｆ）（Ｆ）に付属している予備の固定ピン（４１）へ、差し込み固定するのである。
【００６８】
その場合、上記取付孔（３４）の露出が不充分であれば、巻取軸（Ｓ）の第２半円軸（Ｓ２）に対して上記第１半円軸（Ｓ１）を、その傾斜テーパー面（２９）（２９）に沿って一端部の方向（図１７、１８の右方向）へ引き出し移動させれば良い。
【００６９】
何れにしても、上記巻取軸（Ｓ）の第１半円軸（Ｓ１）は据付け機枠（Ｆ）（Ｆ）側の適当な固定ピン（４１）へ差し込まれた固定状態に保たれているため、その第１半円軸（Ｓ１）に対して同じく巻取軸（Ｓ）の第２半円軸（Ｓ２）を図１８から図１９のように、やはり傾斜テーパー面（２９）（２９）に沿って残る他端部の方向（ａ）（図１８、１９の左方向）へ引き出し移動させるのである。
【００７０】
そうすれば、図７〜９と図１４〜１６との対比から明白なように、その軸線方向への移動に連れて巻取軸（Ｓ）の太さ（直径）（Ｄ）が細くなるため、上記第１半円軸（Ｓ１）の取付孔（３４）を機枠（Ｆ）（Ｆ）側の固定ピン（４２）から抜き出した後、その巻取軸（Ｓ）における可動側軸受けホルダー（３２）の抜き取られた状態にある一端部（図１９の右側）から、上記無芯巻取り製品（Ｒ）の複数を矢印（ｂ）の方向へ順次取り出すことができる。
【００７１】
尚、上記巻取軸（Ｓ）の左右何れか他端部（図１８、１９の左側）には固定側軸受けホルダー（３５）が、その第２半円軸（Ｓ２）の太い他端部（３１ｂ）へ取り付けられるビスやリベット、ノックピンなどの固定具（３６）を介して、抜け止め状態に差し込み固定されているため、上記無芯巻取り製品（Ｒ）を取り出した後の巻取軸（Ｓ）を、左右一対の昇降サイド支柱（１７）（１７）へ繰り返し取り付け使用するに当っては、先に抜き取った可動側軸受けホルダー（３２）だけを巻取軸（Ｓ）の上記左右何れか一端部へ、抜き差し自在に差し込み套嵌させれば足り、無芯巻取り製品（Ｒ）の製造とその巻取軸（Ｓ）からの取出作業を容易に行えるのである。
【符号の説明】
【００７２】
（１０）・サーフェスロール
（１１）・サーフェスロール軸
（１２）（１３）（２６）・伝動プーリー
（１４）・出力プーリー
（１５）・モーター取付台
（１６）・第１タイミングベルト
（１７）・昇降サイド支柱
（１８）・連結バー
（１９）・凹溝レール
（２０）・原反ロール
（２１）・原反ロール軸
（２２）・原反シート
（２３）・スリッター（分割カッター）
（２４）・押圧ロール
（２５）・押圧ロール軸
（２７）・第２タイミングベルト
（２９）・傾斜テーパー面
（３０ａ）・第１半円軸の太い一端部
（３０ｂ）・第１半円軸の細い他端部
（３１ａ）・第２半円軸の太い他端部
（３１ｂ）・第２半円軸の細い一端部
（３２）（３５）・軸受けホルダー
（３３）（４１）・凸子
（３４）・取付孔
（３６）・固定具
（３７）・ネジ軸
（３８）・連結ソケット
（３９）・ネジ溝
（４０）・固定ナット
（４２）・固定ピン
（Ｆ）・機枠
（Ｍ）・駆動モーター
（Ｒ）・無芯巻取り製品
（Ｓ）・巻取軸
（Ｓ１）・第１半円軸
（Ｓ２）・第２半円軸
（Ｄ）・太さ
（Ｌ）・長さ
（Ｘ）・巻取軸の全体長さ
（Ｗ）・昇降サイド支柱の左右相互間隔
（Ａ）・回転方向
【図１】
2018122407.tif 000003
【図２】
2018122407.tif 000004
【図３】
2018122407.tif 000005
【図４】
2018122407.tif 000006
【図５】
2018122407.tif 000007
【図６】
2018122407.tif 000008
【図７】
2018122407.tif 000009
【図８】
2018122407.tif 000010
【図９】
2018122407.tif 000011
【図１０】
2018122407.tif 000012
【図１１】
2018122407.tif 000013
【図１２】
2018122407.tif 000014
【図１３】
2018122407.tif 000015
【図１４】
2018122407.tif 000016
【図１５】
2018122407.tif 000017
【図１６】
2018122407.tif 000018
【図１７】
2018122407.tif 000019
【図１８】
2018122407.tif 000020
【図１９】
2018122407.tif 000021
【手続補正書】
【提出日】平成30年3月20日(2018.3.20)
【手続補正１】
【補正対象書類名】特許請求の範囲
【補正対象項目名】請求項１
【補正方法】変更
【補正の内容】
【請求項１】
左右一対の据付け機枠（Ｆ）（Ｆ）へ水平に軸架された前後一対のサーフェスロール（１０）（１０）と、
その両サーフェスロール（１０）（１０）の前後相互間に載架する位置関係として、左右両端部が対応的な一対の昇降サイド支柱（１７）（１７）に受け持たれた巻取軸（Ｓ）と、
その両昇降サイド支柱（１７）（１７）と一体的に昇降されることにより、上記巻取軸（Ｓ）を両サーフェスロール（１０）（１０）へ上方から押し付けて連れ廻す押圧ロール（２４）とを備え、
両サーフェスロール（１０）（１０）を互いに同一方向（Ａ）へ回転駆動することにより、原反ロール（２０）から引き出した原反シート（２２）を所定の狭幅に分割カットして、上記巻取軸（Ｓ）へ巻き取ると共に、
その巻取り過程にある原反シート（２２）の巻き太りに応じて、その巻取軸（Ｓ）と上記押圧ロール（２４）が昇降サイド支柱（１７）（１７）により、両サーフェスロール（１０）（１０）から上方へ退動するように設定された無芯巻取り製品（Ｒ）のスリッターであって、
上記巻取軸（Ｓ）を互いに同じ第１、２半円軸（Ｓ１）（Ｓ２）がその軸線（Ｏ−Ｏ）と交叉する傾斜テーパー面（２９）（２９）での合掌により、その傾斜テーパー面（２９）（２９）に沿って軸線方向へ移動し得る全体的な太さ（Ｄ）と長さ（Ｌ）が同じ円形軸となるように組み合わせ、
その組み合わせた巻取軸（Ｓ）の左右何れか一端部には、可動側軸受けホルダー（３２）を抜き差しできるように差し込み套嵌させて、その第１半円軸（Ｓ１）の太い一端部（３０ａ）に取付孔（３４）を貫通形成する一方、
同じく巻取軸（Ｓ）の残る他端部には固定側軸受けホルダー（３５）を、その第２半円軸（Ｓ２）の太い他端部（３１ｂ）へ取り付けられる固定具（３６）によって、抜け止め状態に差し込み套嵌させると共に、
上記巻取軸（Ｓ）の両軸受けホルダー（３２）（３５）から各々突出する凸子（３３）（３７）を、上記昇降サイド支柱（１７）（１７）に向かい合う一対として各々列設された凹溝レール（１９）（１９）の内部へ抜き差し自在に、且つその巻取軸（Ｓ）自身が両サーフェスロール（１０）（１０）と一緒に連れ廻り得る状態に差し込み係合させて、
上記巻取軸（Ｓ）に原反シート（２２）を巻き取り終えたならば、その左右一対の昇降サイド支柱（１７）（１７）から取りはずした巻取軸（Ｓ）における左右何れか一端部の可動側軸受けホルダー（３２）を抜き取って、その露出した第１半円軸（Ｓ１）の取付孔（３４）をスリッターの機枠（Ｆ）（Ｆ）に付属している固定ピン（４２）へ差し込み固定した上、
同じく巻取軸（Ｓ）における残る他端部の固定側軸受けホルダー（３５）に固定された第２半円軸（Ｓ２）を、その上記第１半円軸（Ｓ１）と合掌している傾斜テーパー面（２９）（２９）に沿って他方へ引き出し移動させることにより、その太さ（Ｄ）の細くなった巻取軸（Ｓ）の上記一端部から無芯巻取り製品（Ｒ）を取り出すことを特徴とするスリッターにおける無芯巻取り製品の取出装置。
【手続補正２】
【補正対象書類名】特許請求の範囲
【補正対象項目名】請求項２
【補正方法】変更
【補正の内容】
【請求項２】
巻取軸（Ｓ）の他端部へ固定具（３６）を介して抜け止め状態に差し込み套嵌された固定側軸受けホルダー（３５）の凸子（３７）をネジ軸として、
昇降サイド支柱（１７）（１７）の凹溝レール（１９）（１９）へ差し込み係合される凸子（４１）が突出する別個な連結ソケット（３８）のネジ溝（３９）を、その上記固定側軸受けホルダー（３５）のネジ軸（３７）へ進退自在に螺合締結することにより、
左右一対の軸受けホルダー（３２）（３５）が差し込み套嵌された巻取軸（Ｓ）の全体長さ（Ｘ）を、その両昇降サイド支柱（１７）（１７）の左右相互間隔（Ｗ）と対応する寸法として調整セットできるように定めたことを特徴とする請求項１記載のスリッターにおける無芯巻取り製品の取出装置。
【手続補正３】
【補正対象書類名】明細書
【補正対象項目名】００１７
【補正方法】変更
【補正の内容】
【００１７】
同じく巻取軸の残る他端部には固定側軸受けホルダーを、その第２半円軸の太い他端部へ取り付けられる固定具によって、抜け止め状態に差し込み套嵌させると共に、
【手続補正４】
【補正対象書類名】明細書
【補正対象項目名】００２１
【補正方法】変更
【補正の内容】
【００２１】
また、請求項２では巻取軸の他端部へ固定具を介して抜け止め状態に差し込み套嵌された固定側軸受けホルダーの凸子をネジ軸として、